(57)【特許請求の範囲】
【請求項１】
回転軸の外周部に設けられた円筒状の芯材と、前記芯材に配置された導通部材とを有する回転子を備え、前記回転子が固定子の内部に回転可能に配置された回転電機において、
前記芯材は、前記芯材自体の径方向に延びるとともに前記芯材自体の軸方向に延び、周方向に間隔をあけて複数設けられた挿通溝を有し、
前記導通部材は、前記芯材の前記挿通溝にそれぞれ挿通された複数の導通棒と、前記複数の導通棒の端部に連結された短絡部材とを有し、
前記導通棒は、前記芯材の軸方向に延び、前記芯材の径方向外側の部分に位置する第１導通部と、前記第１導通部より前記芯材の径方向内側の部分に位置する第２導通部とに、前記導通棒自体を区画する区画溝を有し、
前記挿通溝は、前記芯材の径方向外側の部分に位置する外端部と、前記芯材の径方向内側の部分に位置する内端部と、前記外端部及び前記内端部にかけて延びる一対の側部とで画定され、前記側部と前記導通棒の前記区画溝との間に形成された空隙部に、前記芯材と別体の磁性部材が嵌合されており、
前記芯材は、磁性を有するコア板を軸方向に積層して形成され、両端に配置された第１コア板は、前記磁性部材が軸方向に移動することを防止する閉塞部を有する、回転電機。
【請求項２】
前記区画溝は、前記導通棒の片側だけに設けられている、請求項１に記載の回転電機。
【請求項３】
前記第１導通部の断面積は、前記第２導通部の断面積の１／２以下である、請求項１又は２に記載の回転電機。
【請求項４】
前記第１導通部の断面積は、前記第２導通部の断面積の１／４以上である、請求項１乃至請求項３のいずれか１項に記載の回転電機。
【発明の詳細な説明】
【技術分野】
【０００１】
本発明は、カゴ形回転子を備える回転電機に関する。この回転電機には、誘導電動機及び誘導発電機が含まれる。
【背景技術】
【０００２】
特許文献１には、円筒状の固定子と、円柱状の回転子とを備えるカゴ形誘導電動機が開示されている。回転子は、磁性材料により形成された芯材と、芯材に配置されたカゴ形の導通部材とを備える。芯材には、軸方向に貫通する回転子スロットが芯材の周方向に間隔をあけて複数設けられている。導通部材は、回転子スロットにそれぞれ挿通される複数の導通棒を備える。複数（全て）の導通棒の両端部は、円板状のエンドリング（短絡部材）によってそれぞれ連結されている。
【０００３】
発電容量が大きい中型及び大型のカゴ形誘導電動機には、特殊カゴ形の回転子が使用される。非特許文献１には、特殊カゴ形の回転子として、深溝カゴ形と二重カゴ形が開示されている。深溝カゴ形は、芯材の回転子スロット及び導通部材の導通棒の径方向の寸法が普通カゴ形より長い。二重カゴ形は、径方向に間隔をあけて第１及び第２回転子スロットを設けた芯材と、第１回転子スロットに挿通された第１導通棒を有する第１導通部材と、第２回転子スロットに挿通された第２導通棒を有する第２導通部材とを備える。
【０００４】
深溝カゴ形の誘導電動機は、運転効率は良好であるが、始動特性を二重カゴ形と比較すると、始動トルクが小さく、始動電流が大きい。なお、始動特性は、導通部材を高抵抗材料（例えば丹銅、アルミ、黄銅など）に変更することで改善可能であるが、始動後の通常運転時のスベリが大きくなるため、運転効率が低下する。また、二重カゴ形の誘導電動機は、第１及び第２導通棒の材料を変更することが可能なため、始動特性を向上するとともに運転効率の低下を防止できるが、構造が複雑であるためコスト高になる。
【先行技術文献】
【非特許文献】
【０００５】
【非特許文献１】図解 誘導電動機 −基礎から制御まで−，著者 坪島茂彦，発行所 東京電機大学出版局，2009年2月20日 第２版４刷発行，56-58頁
【特許文献】
【０００６】
【特許文献１】特開２０１０−２６３７５８号公報
【発明の概要】
【発明が解決しようとする課題】
【０００７】
本発明は、始動特性及び運転効率が良好で、構造が簡素なカゴ形回転子を備える回転電機を提供することを課題とする。
【課題を解決するための手段】
【０００８】
本発明は、回転軸の外周部に設けられた円筒状の芯材と、前記芯材に配置された導通部材とを有する回転子を備え、前記回転子が固定子の内部に回転可能に配置された回転電機において、前記芯材は、前記芯材自体の径方向に延びるとともに前記芯材自体の軸方向に延び、周方向に間隔をあけて複数設けられた挿通溝を有し、前記導通部材は、前記芯材の前記挿通溝にそれぞれ挿通された複数の導通棒と、前記複数の導通棒の端部に連結された短絡部材とを有し、前記導通棒は、前記芯材の軸方向に延び、前記芯材の径方向外側の部分に位置する第１導通部と、前記第１導通部より前記芯材の径方向内側の部分に位置する第２導通部とに、前記導通棒自体を区画する区画溝を有し、前記挿通溝は、前記芯材の径方向外側の部分に位置する外端部と、前記芯材の径方向内側の部分に位置する内端部と、前記外端部及び前記内端部にかけて延びる一対の側部とで画定され、前記側部と前記導通棒の前記区画溝との間に形成された空隙部に、前記芯材と別体の磁性部材が嵌合されており、前記芯材は、磁性を有するコア板を軸方向に積層して形成され、両端に配置された第１コア板は、前記磁性部材が軸方向に移動することを防止する閉塞部を有する、回転電機を提供する。
【０００９】
この回転電機のカゴ形の導通部材の導通棒には、芯材の軸方向に延びる区画溝が設けられている。この区画溝により導通棒は、芯材の径方向外側の部分に位置する第１導通部と、芯材の径方向内側の部分に位置する第２導通部とに区画されている。その結果、始動時に回転子に鎖交する磁束は第１導通部に集中し、始動電流も回転子の第１導通部に集中するため、二重カゴ形と類似の効果を得ることができる。言い換えれば、深溝カゴ形の導通棒に区画溝を設けることにより、二重カゴ形と同様の効果を得ることができる。そのため、深溝カゴ形の運転効率及び簡素な構造を保ちつつ、始動特性を大きく改善できる。
【００１０】
また、挿通溝は外端部、内端部及び一対の側部によって画定され、区画溝によって形成された空隙部に磁性部材を嵌合した構成であるため、既存の深溝カゴ形の回転子を加工することで、容易に二重カゴ形と類似の効果を得ることができる。また、両端に配置された第１コア板が軸方向への磁性部材の移動を防止する閉塞部を有するため、別体の磁性部材を脱落させることなく、確実に保持できる。
【００１１】
前記区画溝は、前記導通棒の片側だけに設けられている。このようにすれば、導通棒の加工性（生産性）を向上できる。
【００１３】
前記第１導通部の断面積は、前記第２導通部の断面積の１／２以下である。このようにすれば、従来の深溝カゴ形の回転子に対して、始動トルクを増加させるとともに、始動電流を低減させることができ、確実に始動特性を改善できる。また、前記第１導通部の断面積は、前記第２導通部の断面積の１／４以上である。このようにすれば、導通棒の機械的強度や熱容量に影響が及ぶことを防止できる。
【発明の効果】
【００１４】
本発明の回転電機は、深溝カゴ形の導通棒に区画溝を設けて第１及び第２導通部に区画しているため、深溝カゴ形の運転効率及び簡素な構造を保ちつつ、始動特性を大きく改善できる。
【図面の簡単な説明】
【００１５】
【図１】本発明の第１実施形態のカゴ形回転子を用いた誘導電動機の断面図。
【図２】誘導電動機の他の断面図。
【図３】カゴ形回転子の分解斜視図。
【図４】挿通溝と導通棒を示す断面図。
【図５】第１及び第２導通部の断面積比と始動特性の関係を示すグラフ。
【図６】第２実施形態の回転子の挿通溝と導通棒を示す断面図。
【図７】第３実施形態の回転子の挿通溝と導通棒を示す断面図。
【図８】第４実施形態の回転子の挿通溝と導通棒を示す断面図。
【図９】第５実施形態の回転子の挿通溝と導通棒を示す断面図。
【図１０】第６実施形態の回転子の挿通溝と導通棒を示す断面図。
【図１１】第７実施形態の回転子の挿通溝と導通棒を示す断面図。
【図１２】第７実施形態の回転子の分解斜視図。
【図１３】発明品の回転子と従来品の深溝カゴ形の回転子のトルク及び電流の特性を示すグラフ。
【図１４】発明品の回転子と２種の従来品の回転子の導体抵抗とスベリの関係を示すグラフ。
【発明を実施するための形態】
【００１６】
以下、本発明の実施の形態を図面に従って説明する。以下の説明では、必要に応じて特定の方向や位置を示す用語（例えば、「上」、「下」、「側」、「端」、「天」、「底」を含む用語）を用いるが、それらの用語の使用は図面を参照した発明の理解を容易にするためであって、それらの用語の意味によって本発明の技術的範囲が限定されるものではない。
【００１７】
（第１実施形態）
図１及び図２は、本発明の第１実施形態に係る回転電機であるカゴ形回転子を用いた誘導電動機１０を示す。誘導電動機１０は、ケーシング１１の内部に固定子１２と回転子１７とを備える。
【００１８】
固定子１２は、ケーシング１１の内周部に固定された円筒状のステータコア１３を備える。ステータコア１３は、磁性材料（電磁鋼板）からなる複数枚の円環状のコア板を積層して構成されている。ステータコア１３の軸方向に貫通した孔は回転子配設部１４である。ステータコア１３の回転子配設部１４側である径方向内側の部分には、軸方向に貫通した固定子スロット（固定子側挿通溝）１５が周方向に間隔をあけて複数設けられている。固定子スロット１５には、それぞれ巻線１６が電気的に通電可能に配線されている。
【００１９】
回転子１７は、固定子１２の回転子配設部１４（内部）に回転可能に配置されている。回転子１７は、円筒状の芯材１８と、芯材１８の外周側に一体に配置されたカゴ形の導通部材２４とを備える。通電制御により固定子１２の巻線１６に電流を流すことで回転磁界が形成される。この回転磁界によって起電力が発生して導通部材２４に電流が流れる。この電流と回転磁界の間に電磁力が発生することにより、固定子１２の内部で回転子１７が回転する。
【００２０】
図１及び図３に示すように、芯材１８は、磁性材料（電磁鋼板）からなる複数の円環状のコア板１９を軸方向に積層して構成されている。コア板１９は、回転軸（出力軸）２０の外周部に配置されている。コア板１９と回転軸２０とは、焼き嵌めまたはキー（固定部材）により固定されている。これにより回転軸２０は、芯材１８の軸方向に沿って延びるように一体に配置されている。図２を参照すると、回転軸２０は、芯材１８の両端から外方へ突出され、ケーシング１１に配設した軸受け２１に回転可能に支持されている。
【００２１】
図１から図３に示すように、コア板１９の径方向外側の部分（外周縁近傍）には、コア板１９の径方向に延びる回転子スロット（回転子側挿通溝）２２が周方向に間隔をあけて複数設けられている。各コア板１９を回転軸２０に固定することで、コア板１９の中心は回転軸２０の軸方向に延びる。また、組付時に各コア板１９の回転子スロット２２をそれぞれ一致させることで、回転子スロット２２も軸芯１８の軸方向に延びる。本実施形態の回転子スロット２２の数は３０個で、固定子スロット１５の数は２４個である。図１に最も明瞭に示すように、各回転子スロット２２は、径方向外側の外端部２２ａと、径方向内側の内端部２２ｂと、各端部２２ａ，２２ｂにかけて直線（接線）状に延びる一対の側部２２ｃ，２２ｄとで画定されている。本実施形態の回転子スロット２２は、外端部２２ａと内端部２２ｂを半円とした長円形状である。図１中右側の側部２２ｄには、四角形状をなすように内向き（周方向の左向き）に突出する凸部２３が設けられている。凸部２３は、回転子１７を軸方向から見た回転子スロット２２の全長に対して、コア板１９の径方向外側の部分に位置する。また、各凸部２３は、コア板１９の積層により軸方向に延びるように積層されている。
【００２２】
図１から図３に示すように、導通部材２４は、芯材１８の回転子スロット２２にそれぞれ挿通された複数の導通棒２５と、複数（全て）の導通棒２５の端部に連結された一対のエンドリング（短絡部材）２６，２６とを備える。導通棒２５は、回転子スロット２２の形状に対応する断面長円形状で、芯材１８の軸方向の全長より長尺な棒状であり、電気抵抗材料（例えば純銅）によって形成されている。エンドリング２６は円環状であり、導通棒２５と同様の電気抵抗材料（例えば純銅）によって形成されている。導通棒２５とエンドリング２６とは、溶接又はロー付けにより導通可能に接合（連結）されている。
【００２３】
導通棒２５には、凹状に窪む区画溝２７が軸方向に延びるように設けられている。区画溝２７は、芯材１８に配設した状態で、周方向に窪むように導通棒２５の一面側（片側）だけを切り欠いて形成されている。導通棒２５を導通部材２４の回転子スロット２２に挿通することで、区画溝２７に導通部材２４の凸部２３が嵌合する。区画溝２７により導通棒２５は、芯材１８の径方向外側に位置する第１導通部２８と、第１導通部２８より芯材１８の径方向内側に位置する第２導通部２９とに区画される。
【００２４】
このように、導通棒２５に区画溝２７を設けることで、構造が簡素な深溝カゴ形の回転子１７を、二重カゴ形の回転子と類似の特性にすることができる。詳しくは、始動時に、回転子１７に鎖交する磁束が第１導通部２８に集中し、始動電流も回転子１７の第１導通部２８に集中することで、始動特性を向上できる。また、始動時には接続部３０を介して第２導通部２９がヒートシンクとして機能するので始動時の第１導通部２８の過熱を緩和することができる。始動後の通常運転時には、電流が第１導通部２８、接続部３０、及び第２導通部２９にほぼ均一に分布することで、等価的な抵抗値が下がり、スベリを抑制して運転効率を向上できる。
【００２５】
第１導通部２８と第２導通部２９の関係を更に詳しく説明する。図４に示すように、導通棒２５の断面において、長尺方向の区画溝２７の半分から上部（径方向外側）を第１導通部２８の領域とし、下部（径方向内側）を第２導通部２９の領域とする。そして、第１導通部２８の断面積Ｓ１は、第２導通郎２９の断面積Ｓ２の１／２以下１／４以上としている。
【００２６】
詳しくは、図５に示すように、始動トルクの特性変化率は、第１及び第２導通部２８，２９の断面積比（Ｓｌ／Ｓ２）が小さくなるに従って高くなる一方、断面積比が１／２より大きくなると１．０を下回る。また、始動電流の特性変化率は、第１及び第２導通部２８，２９の断面積比が小さくなるに従って低くなる一方、断面積比が１／２より大きくなると１．０を上回る。即ち、第１及び第２導通部２８，２９の断面積比を１／２より大きくすると、始動時に芯材１８の径方向外側に磁束及び電流を集中できず、始動トルクが低下するとともに、始動電流が増加する（始動特性の低下）。また、第１及び第２導通部２８．２９の断面積比は小さい程良いが、１／４未満にすると導通棒２５の機械的強度や熱容量に影響が及ぶため、１／４以上とすることが好ましい。
【００２７】
図４に示すように、区画溝２７を設けることによる残りの接続部３０の幅Ｗ１は、導通棒２５の断面の短尺方向の横幅Ｗ２に対して狭い程良いが、１／２以下１／４以上の横幅比（Ｗｌ／Ｗ２）とすることが好ましい。接続部３０の横幅Ｗ１を導通棒２５の横幅Ｗ２の１／２より大きくすると、第１及び第２導通部２８，２９の電気的及び電磁的な導通を区画する効果が薄れる。また、横幅比を１／４より小さくすると、導通棒２５の機械的強度を確保できない。そのため、接続部３０の幅Ｗ１は、導通棒２５の横幅Ｗ２に対して１／２以下１／４以上とする。
【００２８】
このようにした誘導電動機１０の回転子１７の導通部材２４は、始動時に、区画溝２７によって区画した第１導通部２８に磁束及び電流が集中させることができるため、二重カゴ形の回転子と類似の効果（特性）を得ることができる。言い換えれば、深溝カゴ形の導通棒２５に区画溝２７を設けることにより、二重カゴ形と同様の効果を得ることができる。そのため、深溝カゴ形の運転効率及び簡素な構造を保ちつつ、始動特性を大きく改善できる。
【００２９】
また、区画溝２７は導通棒２５の一面側だけに設けられているため、加工性（生産性）を向上できる。即ち、既存の深溝カゴ形の導通棒２５に区画溝２７を設けることで、二重カゴ形と類似の始動特性を得ることができるため、容易に実現可能であるうえ、コストの増大を抑制できる。しかも、第１導通部２８の断面積Ｓ１が第２導通部２９の断面積Ｓ２の１／２以下となるように、導通棒２５に区画溝２７を設けることで、第１及び第２導通部２８，２９に鎖交する磁束を確実に分離し、確実に始動トルクを増加させるとともに、始動電流を低減させることができる。また、第１及び第２導通部２８．２９の断面積比を１／４以上とすることで、導通棒２５の機械的強度及び熱容量を十分確保できる。
【００３０】
（第２実施形態）
図６は第２実施形態の回転子１７の回転子スロット２２及び導通棒２５を示す。この第２実施形態では、回転子スロット２２の径方向外側の部分に位置する外端部２２ａを径方向内側の部分に位置する内端部２２ｂより小径の半円形状とし、導通棒２５を対応する断面形状とした点で、第１実施形態と相違する。このようにした深溝カゴ形の回転子１７においても、凸部２３及び区画溝２７を設けて導通棒２５を第１及び第２導通部２８，２９に区画し、第１実施形態と同様の断面積比とすることで、第１実施形態と同様の作用及び効果を得ることができる。
【００３１】
（第３実施形態）
図７は第３実施形態の回転子１７の回転子スロット２２及び導通棒２５を示す。この第３実施形態では、回転子スロット２２の径方向外側の部分に位置する外端部２２ａを径方向内側の部分に位置する内端部２２ｂより大径の半円形状とし、導通棒２５を対応する断面形状とした点で、第１実施形態と相違する。このようにした深溝カゴ形の回転子１７においても、凸部２３及び区画溝２７を設けて導通棒２５を第１及び第２導通部２８，２９に区画し、第１実施形態と同様の断面積比とすることで、第１実施形態と同様の作用及び効果を得ることができる。
【００３２】
（第４実施形態）
図８は第４実施形態の回転子１７の回転子スロット２２及び導通棒２５を示す。この第４実施形態では、回転子スロット２２の各端部２２ａ，２２ｂを直線状に延びる長方形状とし、径方向外側の外端部２２ａにコア板１９の外周部に連通する連通部２２ｅを設けた点で、第１実施形態と相違する。連通部２２ｅの横幅は、導通棒２５の断面の短尺方向の横幅より狭い。このようにした深溝カゴ形の回転子１７においても、凸部２３及び区画溝２７を設けて導通棒２５を第１及び第２導通部２８，２９に区画し、第１実施形態と同様の断面積比とすることで、第１実施形態と同様の作用及び効果を得ることができる。
【００３３】
（第５実施形態）
図９は第５実施形態の回転子１７の回転子スロット２２及び導通棒２５を示す。この第５実施形態では、回転子スロット２２の径方向外側の部分に位置する外端部２２ａを径方向内側の部分に位置する内端部２２ｂより寸法が短い台形状とし、導通棒２５を対応する断面形状とした点で、第４実施形態と相違する。このようにした深溝カゴ形の回転子１７においても、凸部２３及び区画溝２７を設けて導通棒２５を第１及び第２導通部２８，２９に区画し、第１実施形態と同様の断面積比とすることで、第１実施形態と同様の作用及び効果を得ることができる。
【００３４】
（第６実施形態）
図１０は第６実施形態の回転子１７の回転子スロット２２及び導通棒２５を示す。この第６実施形態では、回転子スロット２２の径方向外側の部分に位置する外端部２２ａを径方向内側の部分に位置する内端部２２ｂより寸法が長い台形状とし、導通棒２５を対応する断面形状とした点で、第４実施形態と相違する。このようにした深溝カゴ形の回転子１７においても、凸部２３及び区画溝２７を設けて導通棒２５を第１及び第２導通部２８，２９に区画し、第１実施形態と同様の断面積比とすることで、第１実施形態と同様の作用及び効果を得ることができる。
【００３５】
（第７実施形態）
図１１は第７実施形態の回転子１７の回転子スロット２２Ｂ及び導通棒２５を示す。この第７実施形態では、回転子スロット２２Ｂは凸部２３を設けていない従来と同様の長円形状の深溝カゴ形とする一方、導通棒２５は区画溝２７を設けた第１実施形態と同様の類似二重カゴ形としている。また、第７実施形態では、回転子スロット２２Ｂの右側部２２ｄと導通棒２５の区画溝２７との間に形成された空隙部３１に、芯材１８及び導通棒２５とは異なる別体の磁性部材３２を嵌め込んだ点で、第１実施形態と相違する。
【００３６】
詳しくは、図１２に示すように、回転子１７の芯材１８は、磁性を有するコア板１９Ａ，１９Ｂを軸方向に積層して形成されている。磁性部材３２は、芯材１８と軸方向の全長よりコア板１９Ａ，１９Ａ二枚分の寸法だけ短い。そして、芯材１８の両端に配置された第１のコア板１９Ａ，１９Ａには、導通棒２５の区画溝２７に嵌まり、磁性部材３２が軸方向に移動することを防止する凸部（閉塞部）２３を有する第１の回転子スロット２２Ａが設けられている。また、両端間に配置される第２のコア板１９Ｂには、凸部２３を設けていない長円形状の回転子スロット２２Ｂが形成されている。言い換えれば、芯材１８は、凸部２３を有する回転子スロット２２Ａを形成した新設のコア板１９Ａと、長円形状の回転子スロット２２Ｂを形成した既存のコア板１９Ｂとを備え、殆どが既存のコア板１９Ｂにより構成されている。
【００３７】
このようにした第７実施形態の深溝カゴ形の回転子１７においても、凸部２３及び区画溝２７を設けて導通棒２５を第１及び第２導通部２８，２９に区画し、第１実施形態と同様の断面積比とすることで、第１実施形態と同様の作用及び効果を得ることができる。しかも、回転子スロット２２Ｂと区画溝２７の間に形成される空隙部３１には別体の磁性部材３２が配置されるため、既存の深溝カゴ形の回転子１７を加工することで、容易に二重カゴ形と類似を効果を得ることができる。また、芯材１８を構成する両端のコア板１９Ａ，１９Ａだけ凸部２３を設けることで、空隙部３１に配置した別体の磁性部材３２を脱落させることなく、確実に保持できる。
【００３８】
なお、第７実施形態では、回転子スロット２２Ａ，２２Ｂ及び導通部材２４を第１実施形態と同様に長円形状としたが、第２から第６実施形態に示す断面形状としても、同様の作用及び効果を得ることができる。
【００３９】
（実験例１）
本発明者らは、第１実施形態と同様の凸部２３及び区画溝２７を設けた発明品と、凸部２３及び区画溝２７を設けていない従来品とを用い、始動トルク及び始動電流の特性について電磁界解析を行うと同時に、試験を行いその始動特性を比較、検証した。なお、導通棒２５は、断面の長尺方向の全長が２０ｍｍで短尺方向の横幅が５ｍｍの深溝カゴ形とした。コア板１９は電磁鋼板製であり、導通棒２５は純銅製である。従来品と発明品の誘導電動機の始動時のトルクと電流の特性曲線の解析結果を図１３に示す。
【００４０】
図１３に実線で示すように、区画溝２７を設けた発明品の回転子１７（太線）は、区画溝２７を設けていない従来品の回転子（細線）と比較して、高い始動トルクを得ることができることを確認できた。また、図１３に破線で示すように、発明品の回転子１７（太線）は、従来品の回転子（細線）と比較して、始動電流を低減できることを確認できた。よって、同一材料の導通棒２５である場合、区画溝２７を設けることで始動特性を大きく改善できることを確認できた。
【００４１】
（実験例２）
また、本発明者らは、凸部２３及び区画溝２７を設けた純銅製の発明品と、凸部２３及び区画溝２７を設けていない純銅製の第１従来品と、凸部２３及び区画溝２７を設けていない丹銅（抵抗値の高い高抵抗導体）製の第２従来品とを用意し、それぞれの回転子の導体抵抗値のスベリ依存性を比較、検証した。なお、導通棒２５の寸法、及びコア板１９の材料は実験例１と同様である。また、発明品の第１及び第２導通部２８，２９の断面積比（Ｓ１／Ｓ２）は１／３である。この解析結果を図１４に示す。
【００４２】
ここで、スベリとは、回転子１７の回転数Ｎが同期回転数Ｎｓからずれている割合を表す数字である。このスベリＳは、以下の式で求めることができる。
Ｓ＝（Ｎｓ−Ｎ）／Ｎｓ                                      …  （１）
停止時（始動時）は、Ｎ＝０であるため、Ｓ＝１．０となる。回転が安定した通常運転時は、Ｓ＝０であることが好ましいが、若干のスベリがあるためＳ≒０となる。
【００４３】
誘導電動機１０では、回転子１７を設定回転数で回転させるために、始動時のトルクは大きく、回転が安定した通常運転時のトルクは小さい方が好ましい。また、抵抗値が高い材料からなる導通部材２４を用いた誘導電動機１０は、抵抗値が低い導通部材２４を用いた誘導電動機１０と比較して、トルクが大きく、電流が小さくなることが知られている。
【００４４】
図１４の第１従来品（細い実線）及び第２従来品（破線）を参照すると、始動時（Ｘ軸Ｓ＝１）の抵抗値は、高抵抗材料からなる第２従来品の方が、純銅からなる第１従来品と比較して高い。よって、始動時のトルクは、第１従来品より第２従来品の方が大きい。始動電流は、第１従来品より第２従来品の方が小さい。そのため、始動時の特性は、第１従来品より第２従来品の方が良いことが解る。
【００４５】
通常運転時（Ｘ軸Ｓ≒０）の抵抗値は、同様に、第１従来品より第２従来品の方が高い。通常運転時に、抵抗値が高い（トルクが大きい）ということは、スベリが生じ易く、損失が大きいことを意味する。よって、通常運転時の損失は、第１従来品より第２従来品の方が大きい。そのため、通常運転時の効率は、第１従来品より第２従来品の方が悪いことが解る。
【００４６】
第１従来品に凸部２３及び区画溝２７を設けた発明品（太い実線）は、導体抵抗とスベリの関係の傾斜勾配が、第１及び第２従来品と比較して急になっている。詳しくは、始動時（Ｓ＝１）を見ると、始動時には電磁気現象によって電流が導通棒２５の径方向外側の部分に集中して流れるため、発明品の抵抗値は、第１従来品の抵抗値より遥かに高く、第２従来品の抵抗値より更に高くなる。よって、本発明品は、第１及び第２従来品と比較して、始動トルクが増大し、始動電流が減少することが解る。また、通常運転時（Ｓ≒０）を見ると、発明品の抵抗値は、第１従来品の抵抗値より若干高いだけで、第２従来品の抵抗値より遥かに低い。そのため、通常運転時の運転効率は、第１従来品と同等で、第２従来品より良いことが解る。
【００４７】
このように、発明品の導通部材２４を用いた誘導電動機１０は、始動特性及び通常運転効率の両方を改善することができる。また、第１及び第２導通部２８，２９の断面積比（Ｓ１／Ｓ２）を大きくすると、図１４の左端を中心として傾斜角度が緩やかになる。逆に、断面積比を小さくすると、図１４の左端を中心として傾斜角度が更に急になる。
【００４８】
なお、本発明の回転電機は、前記実施形態の構成に限定されず、種々の変更が可能である。
【００４９】
例えば、導通部材２４（特に導通棒２５）は、純銅に限らず、希望に応じた抵抗率の材料（例えば丹銅、アルミ、黄銅など）を適用すればよい。また、区画溝２７は、回転子スロット２２及び導通棒２５の一面側だけに設けたが、両面の対向位置に設けてもよい。また、凸部２３及び区画溝２７は、四角形状に限らず、区画の目的を達成できれば、その形状は希望に応じて変更が可能である。また、導通部材２４は、導通棒２５とエンドリング２６とを溶接又はロー付けで接合したが、圧着等により連結してもよく、その連結方法は希望に応じて変更が可能である。また、前記実施形態では、本発明の回転電機として誘導電動機１０を例に挙げて説明したが、カゴ形回転子を用いた誘導発電機に本発明の回転子１７に適用しても、同様の作用及び効果を得ることができる。
【符号の説明】
【００５０】
１０…誘導電動機（回転電機）
１１…ケーシング
１２…固定子
１３…ステータコア
１４…回転子配設部
１５…固定子スロット（固定子側挿通溝）
１６…巻線
１７…回転子
１８…芯材
１９，１９Ａ，１９Ｂ…コア板
２０…回転軸
２１…軸受け
２２，２２Ａ，２２Ｂ…回転子スロット（回転子側挿通溝）
２２ａ…外端部
２２ｂ…内端部
２２ｃ…左側部
２２ｄ…右側部
２２ｅ…連通部
２３…凸部
２４…導通部材
２５…導通棒
２６…エンドリング（短絡部材）
２７…区画溝
２８…第１導通部
２９…第２導通部
３０…接続部
３１…空隙部
３２…磁性部材
【図１】
0006495693.tif 000002
【図２】
0006495693.tif 000003
【図３】
0006495693.tif 000004
【図４】
0006495693.tif 000005
【図５】
0006495693.tif 000006
【図６】
0006495693.tif 000007
【図７】
0006495693.tif 000008
【図８】
0006495693.tif 000009
【図９】
0006495693.tif 000010
【図１０】
0006495693.tif 000011
【図１１】
0006495693.tif 000012
【図１２】
0006495693.tif 000013
【図１３】
0006495693.tif 000014
【図１４】
0006495693.tif 000015